(57)【特許請求の範囲】
【請求項１】
投入された紙幣を判別する入金判別部と、判別された紙幣を受入口より受け入れて積載収納し、積載収納された紙幣を払出口より払い出す紙幣収納庫と、払い出された紙幣を判別する出金判別部と、払い出された紙幣を前記紙幣収納庫の前記受入口へと導く循環経路と、払い出された紙幣の搬送路を出金口または前記循環経路の側へ切り換える切換ゲートとを備えた紙幣処理機の制御方法において、
紙幣の投入検知に基づいて、前記入金判別部により投入された紙幣の入金判別を行い、
入金判別の結果に応じて該当金種の在高メモリに対して在高の加算を行い、
出金指示に基づいて、前記紙幣収納庫から紙幣を一枚ずつ払い出し、
前記出金判別部により払い出された紙幣の出金判別を行い、
出金判別された紙幣が出金すべき紙幣の場合は前記切換ゲートを前記出金口の側へ切り換えて前記出金口に導いた紙幣の該当金種の在高メモリから在高を減算するか、または、出金判別された紙幣が出金すべきでない紙幣の場合は前記切換ゲートを前記循環経路の側へ切り換えることを出金すべき指示金額に達するまで繰り返す、
ステップからなることを特徴とする紙幣処理機の制御方法。
【請求項２】
精査指示に基づいて、紙幣収納庫内の紙幣を循環させながら前記紙幣収納庫内に収納された模擬紙幣を検出し、
精査カウンタをクリアし、
紙幣収納庫内の紙幣を順次繰り出して前記出金判別部による出金判別を行い、判別された金種に従って前記精査カウンタの該当金種の枚数を順次加算し、
次の前記模擬紙幣の検出に基づいて、前記紙幣収納庫内の紙幣の繰り出し動作を停止する、
ステップを有することを特徴とする請求項１記載の紙幣処理機の制御方法。
【請求項３】
前記紙幣収納庫内の紙幣を出金判別して判別された金種の枚数を加算するステップにおいて、前記出金判別部による出金判別が不能な紙幣を検出したとき、前記出金口より排出するステップを有することを特徴とする請求項２記載の紙幣処理機の制御方法。
【請求項４】
前記紙幣の繰り出し動作を停止するステップの後に、判別不能紙幣として排出された紙幣の再投入またはそれに代わる同一金種の紙幣を入金して前記紙幣収納庫内の在高を確定するステップを有することを特徴とする請求項３記載の紙幣処理機の制御方法。
【請求項５】
前記出金口より排出するステップでは、排出の都度、判別不能件数をカウントアップするステップを有し、前記在高を確定するステップでは、入金の都度、判別不能件数をカウントダウンするステップを有することを特徴とする請求項４記載の紙幣処理機の制御方法。
【請求項６】
前記在高を確定するステップは、判別不能紙幣として排出された紙幣が取り扱いに適さない媒体である場合に、精査動作を強制的に終了させるステップを有することを特徴とする請求項５記載の紙幣処理機の制御方法。
【請求項７】
前記繰り出し動作を停止するステップの後に、前記精査カウンタの加算結果を、前記紙幣処理機内の対応する金種の在高メモリに転記するステップを有することを特徴とする請求項２記載の紙幣処理機の制御方法。
【請求項８】
前記繰り出し動作を停止するステップの後に、前記精査カウンタの加算結果を、前記紙幣処理機内の精査履歴メモリに転記するステップを有することを特徴とする請求項２記載の紙幣処理機の制御方法。
【請求項９】
前記精査指示は、収納庫枚数読み出し指示を受けたとき、前記紙幣収納庫内の枚数が不確かな場合に、出されることを特徴とする請求項２記載の紙幣処理機の制御方法。
【請求項１０】
前記入金判別部による入金判別または前記出金判別部による出金判別は、前記模擬紙幣を判別した場合に前記模擬紙幣の劣化を判別するステップを有することを特徴とする請求項２記載の紙幣処理機の制御方法。
【請求項１１】
前記模擬紙幣の劣化を判別するステップは、前記模擬紙幣の濃淡差の減少によって判断することを特徴とする請求項１０記載の紙幣処理機の制御方法。
【発明の詳細な説明】
【０００１】
【発明の属する技術分野】
本発明は紙幣処理機の制御方法に関し、特にスーパーマーケットやコンビニエンスストアなどの会計場にて、受け取った紙幣を収納し、その収納された紙幣を釣銭として再利用することができる釣銭払出し機のような用途に適した紙幣処理機に対して通常運用時およびレジ担当者の交替時などにおける紙幣処理機内の在高を把握するようにした紙幣処理機の制御方法に関する。
【０００２】
【従来の技術】
近年、スーパーマーケットやコンビニエンスストアなどにおいてＰＯＳ（販売時点情報管理）システムなどの上位装置に接続され、受け取った紙幣を釣銭として再利用することができる紙幣処理機（釣銭払出し機）が硬貨処理機とともに導入されている。
【０００３】
ここで、紙幣処理機とは、概略的には、投入された紙幣を、機械的に取り込み、紙幣収納庫に積載収納し、その入金情報を外部の上位装置に送信したり、外部の上位装置からの釣銭払い出し要求に応じて紙幣収納庫から該当する金額の紙幣を釣銭として払い出す機能を持つものである。
【０００４】
このような、紙幣処理機や硬貨処理機の導入の目的は、金銭の払い出しと収納作業を自動化し、レジ担当者の現金取り扱いの負担を軽減しつつ、精算業務の効率を上げることおよび違算を撲滅することにある。
【０００５】
図１３は従来の紙幣処理機の内部構成を示す側断面図である。この図示の紙幣処理機は、入金された紙幣を１０００円、５０００円および１００００円の金種別に収納し、収納された紙幣を繰り出して釣銭として出金するようにした、循環式紙幣処理機といわれるものである。この紙幣処理機は、紙幣を投入する入金口１と、投入された紙幣を判別する入金判別部２と、入金された紙幣を金種ごとに収納する専用収納庫３ａ〜３ｃと、金種判別された紙幣を専用収納庫３ａ〜３ｃへ導く切換ゲート４ａ，４ｂと、各専用収納庫３ａ〜３ｃから紙幣を繰り出す繰り出し部５ａ〜５ｃと、繰り出された紙幣を判別する出金判別部６と、この出金判別部６の判別結果に応じて動作する切換ゲート７と、出金判別部６によって出金すべきでないと判別された紙幣を収納する出金リジェクト庫８と、出金すべき紙幣が払い出される出金口９とを備えている。
【０００６】
この紙幣処理機の入金動作において、まず、入金口１から入金された紙幣は、入金判別部２にて金種が判別される。ここで、金種が判別できなかった紙幣は返却され、金種が特定された紙幣は装置内に取り込まれる。入金判別部２の金種判別の結果に応じて切換ゲート４ａまたは切換ゲート４ｂが動作し、金種が特定された紙幣は対応する金種の専用収納庫３ａ，３ｂまたは３ｃへ導かれて積載収納される。
【０００７】
出金動作時には、該当金種の専用収納庫３ａ〜３ｃに積載収納された紙幣が繰り出し部５ａ〜５ｃによって上から必要枚数分順次繰り出され、出金判別部６により紙幣の判別が行われた後、出金口９まで搬送されてこの出金口９より払い出される。出金判別部６で金種判別ができなかった紙幣、たとえば重なり紙幣または偽券はその搬送路が切換ゲート７によって切り換えられ、出金リジェクト庫８に収納される。
【０００８】
上記の紙幣処理機は、３金種の紙幣をそれぞれ別個に用意された専用の収納庫に収納するようにした構成を有するが、取り引き数の少ない５０００円および１００００円の２金種の紙幣を共通の収納庫に混合収納するようにし、収納庫の数を減らして小型化した構成を有するものもある。この場合、出金動作時に、釣銭の５０００円を必要として繰り出された紙幣が出金判別の結果１００００円札であった場合、この１００００円は元々釣銭としては再利用されることのない金種なので、出金リジェクト庫へ収納される。
【０００９】
【発明が解決しようとする課題】
しかしながら、従来の紙幣処理機は、入金された紙幣の枚数（在高）が金種別に把握されているが、出金の際に重なり紙幣があった場合には、その紙幣は出金リジェクト庫に収納されるため、収納庫内の実際の枚数と釣銭として使用できる枚数とが一致しなくなり、釣銭払出し機としては出金による減算枚数が特定できず、在高が不確かになってしまうという問題点があった。
【００１０】
また、複数金種（たとえば１０００円と５０００円紙幣）を釣銭として使う場合、収納庫は少なくとも二つ設ける必要があり、紙幣処理機の低コスト化・小型化の妨げになっている。
【００１１】
本発明はこのような点に鑑みてなされたものであり、必要なときに中に収納されている紙幣の在高が把握できる紙幣処理機の制御方法を提供することを目的とする。
【００１２】
【課題を解決するための手段】
本発明では上記問題を解決するために、投入された紙幣を判別する入金判別部と、判別された紙幣を受入口より受け入れて積載収納し、積載収納された紙幣を払出口より払い出す紙幣収納庫と、払い出された紙幣を判別する出金判別部と、払い出された紙幣を前記紙幣収納庫の前記受入口へと導く循環経路と、払い出された紙幣の搬送路を出金口または前記循環経路の側へ切り換える切換ゲートとを備えた紙幣処理機の制御方法において、紙幣の投入検知に基づいて、前記入金判別部により投入された紙幣の入金判別を行い、入金判別の結果に応じて該当金種の在高メモリに対して在高の加算を行い、出金指示に基づいて、前記紙幣収納庫から紙幣を一枚ずつ払い出し、前記出金判別部により払い出された紙幣の出金判別を行い、出金判別された紙幣が出金すべき紙幣の場合は前記切換ゲートを前記出金口の側へ切り換えて前記出金口に導いた紙幣の該当金種の在高メモリから在高を減算するか、または、出金判別された紙幣が出金すべきでない紙幣の場合は前記切換ゲートを前記循環経路の側へ切り換えることを出金すべき指示金額に達するまで繰り返す、ステップからなることを特徴とする紙幣処理機の制御方法が提供される。
【００１３】
このような紙幣処理機の制御方法によれば、紙幣収納庫の在高に対して、紙幣収納庫より払い出された紙幣の内、出金口に導いた紙幣の金種・枚数を該当金種の在高メモリから減算し、紙幣収納庫に循環させた偽券（含重なり）判定、非該当金種などの紙幣については在高メモリから減算しないようにした。これにより、紙幣処理機の中に収納されている紙幣の枚数を金種別に常に把握することができる。また、循環式の一つの紙幣収納庫であるので、紙幣処理機を低コスト化・小型化することができる。
【００１４】
また、本発明によれば、精査指示に基づいて、紙幣収納庫内の紙幣を循環させながら前記紙幣収納庫内に収納された模擬紙幣を検出し、精査カウンタをクリアし、紙幣収納庫内の紙幣を順次繰り出して前記出金判別部による出金判別を行い、判別された金種に従って前記精査カウンタの該当金種の枚数を順次加算し、次の前記模擬紙幣の検出に基づいて、前記紙幣収納庫内の紙幣の繰り出し動作を停止する、ステップを有することを特徴とする。
【００１５】
これにより、たとえば釣銭準備金を束状で入金したり、直接紙幣処理機内に手補充することによって、在高メモリの内容と装置内の実際の在高とが一致しないような場合があっても、常に収納紙幣の在高を把握することができる。
【００１６】
【発明の実施の形態】
以下、本発明の実施の形態を図面を参照して詳細に説明する。
図１は紙幣処理機の外観を示す図、図２は紙幣処理機の内部構成を示す側断面図である。これらの図において、紙幣処理機１０は、外観的には、紙幣を入金するための入金口１１と、紙幣処理機１０から紙幣が釣銭として払い出される出金口１２と、釣銭としては利用されない高額紙幣が収納される紙幣回収庫１３が設けられている。
【００１７】
紙幣の入金口１１近傍には、入金判別センサ１４が設けられ、その先に紙幣収納庫１５の紙幣受入口がある。紙幣収納庫１５の下部には積載収納された紙幣を下から一枚ずつ分離して繰り出す繰り出し部１６が設けられている。紙幣が繰り出される紙幣収納庫１５の払出口の下流には出金判別センサ１７が設けられている。紙幣収納庫１５の払出口は出金口１２および垂直方向に配置された循環通路１８に接続されている。循環通路１８の下端部には紙幣の搬送路を切り換える切換ゲート１９が設けられ、上端部は紙幣収納庫１５への紙幣受入口２０に接続されている。また、循環通路１８の途中には循環通路１８の搬送路を紙幣回収庫１３の側へ切り換えるための切換ゲート２１を有している。ここで、出金口１２、紙幣回収庫１３、紙幣収納庫１５、循環通路１８は一体になっていて内部ユニットを構成し、内部ユニットは引き出し可能な状態で筐体２２に収められている。なお、紙幣収納庫１５には在高を精査するときに使用される模擬紙幣２３が入っている。
【００１８】
入金口１１は、複数枚の紙幣を同時に受け入れることができるような高さの開口部を有し、ここで受け入れた複数の紙幣は、束の状態で入金判別センサ１４を通り、紙幣収納庫１５まで搬送されるようになっている。束の状態での紙幣の受け入れを可能にするため、入金判別センサ１４は入金紙幣の厚さをも検出する機能を有している。また、通常は、在高を精査するときの模擬紙幣２３は紙幣収納庫１５内に紙幣と一緒に積載収納されている。
【００１９】
ここで、通常の取り引き時の紙幣処理機１０の紙幣の流れについて説明する。まず、入金口１１より一枚以上の紙幣が投入されると、図示しない紙幣検知センサによって紙幣の投入が検出され、図示しない投入搬送モータが駆動される。紙幣は、入金判別センサ１４へ導かれて行き、ここで金種の判別および真偽の判定が行われる。入金判別センサ１４が真券（本物）であると判別できなかった紙幣については、入金口１１に戻され、真券または重なり紙幣と判別された紙幣は、紙幣収納庫１５へと導かれて行き、上部に設けられた紙幣受入口２０を通って、紙幣収納庫１５に積載収納される。収納された紙幣は、図示しない上位制御装置から釣銭の払い出し司令があったとき、または、図示しない操作・表示部で払い出しの操作をしたときには、繰り出し部１６により紙幣収納庫１５の下から一枚ずつ繰り出され、出金判別センサ１７にて金種判別される。ここで、出金すべき紙幣と判別されたならば、切換ゲート１９が出金口側に切り換えられ、紙幣は出金口１２へ導かれる。また、繰り出された紙幣が出金すべき紙幣と判別されなかった場合には、切換ゲート１９は循環通路側に切り換えられ、循環通路１８を経由して再度、紙幣収納庫１５に積載収納される。なお、繰り出された紙幣が釣銭としては使用されない高額紙幣の場合には、切換ゲート２１が紙幣回収庫１３の側に切り換えられ、紙幣回収庫１３に収納される。
【００２０】
また、紙幣処理機１０の紙幣収納庫１５へ釣銭準備金を直接セットする手補充の場合は、筐体２２から内部ユニットを引き出し、上部が開放された紙幣収納庫１５へ釣銭準備金としての紙幣を直接挿入する。そして、釣銭準備金のセットが終了すると、内部ユニットを筐体２２に再び収める。
【００２１】
次に、この紙幣処理機１０の制御部の構成について説明する。
図３は紙幣処理機の制御部の構成例を示すブロック図である。紙幣処理機１０の制御部３０は入金判別センサ１４および出金判別センサ１７に接続された金種判別部３１と、プロセッサ（ＣＰＵ）３２と、装置内在高メモリ３３と、精査カウンタ３４と、精査履歴メモリ３５とを備えている。装置内在高メモリ３３は枚数カウンタを取り扱い金種分用意してあり、１０００円枚数カウンタ３３ａと、５０００円枚数カウンタ３３ｂと、１００００円枚数カウンタ３３ｃとを有しており、さらにフラグメモリ３３ｄを有している。また、精査カウンタ３４も同様に、精査時に金種別に紙幣の枚数を計数するために、１０００円枚数カウンタ３４ａと、５０００円枚数カウンタ３４ｂと、１００００円枚数カウンタ３４ｃとを有しており、さらに判別不能件数カウンタ３４ｄおよびフラグメモリ３４ｅも有している。
【００２２】
金種判別部３１は流通されている紙幣の３金種はもちろん、重なり紙幣、模擬紙幣２３およびその劣化具合などを判別する機能をも有している。この金種判別部３１は、入金時に入金判別センサ１４が検出した紙幣の金種および重なり状態を判別し、その判別結果をプロセッサ３２に送る。プロセッサ３２はその判別結果を受けて装置内在高メモリ３３の該当する金種の枚数カウンタに送り、＋１の加算をする。金種判別部３１はまた、出金判別センサ１７が紙幣収納庫１５から繰り出された紙幣を検出してその金種を判別し、プロセッサ３２に送る。プロセッサ３２はその判別結果を装置内在高メモリ３３に送り、該当する金種の枚数カウンタに対して−１の減算をする。さらに、金種判別部３１が重なり紙幣の検出をしたときは、プロセッサ３２はその検出結果を装置内在高メモリ３３に送り、フラグメモリ３３ｄに記憶する。このフラグメモリ３３ｄには、また、精査用の模擬紙幣２３が劣化した場合に、その旨を表示させるために使用される劣化表示要求フラグも記憶される。
【００２３】
精査カウンタ３４および精査履歴メモリ３５は、紙幣収納庫１５に収納された紙幣の在高を精査するときに使用されるもので、精査カウンタ３４は金種別に在高を計数し、精査カウンタ３４による計数結果は精査履歴メモリ３５に追記される。また、精査カウンタ３４の判別不能件数カウンタ３４ｄは、精査時に、出金判別センサ１７が金種判別できなかった判別不能件数を計数し、フラグメモリ３４ｅは、模擬紙幣２３が装置内にあるかどうかの模擬紙幣有フラグおよび出金判別センサ１７が模擬紙幣２３の劣化を検出したときの自動精査フラグを記憶しておくものである。
【００２４】
このように、通常運用時に、入金口１１および出金口１２を通じて入出金された紙幣の枚数は装置内在高メモリ３３に金種別に記憶するようにしたことにより、紙幣処理機内に収納されている在高が管理されることになる。ただし、入金口１１へ複数紙幣が重なって投入された場合、紙幣収納庫１５へ直接手で釣銭準備金を補充された場合には、装置内在高メモリ３３による枚数計数は行われないので、この時点で装置内在高メモリ３３上の紙幣枚数と実収納枚数とは一致しなくなる。
【００２５】
このような場合に、紙幣収納庫１５に収納されている紙幣の正確な枚数を把握するための精査が行われる。精査動作は紙幣収納庫１５内の紙幣を順次繰り出して出金判別センサ１７により金種判別を行い、これを一巡するまで繰り返すことによって行われる。この詳細は後述する。
【００２６】
なお、図示はしないが、この制御部３０は紙幣検知センサに応答して投入搬送モータを駆動したり、繰り出し部１６の起動・停止、切換ゲート１９，２１の切り換え制御なども行うことができる。
【００２７】
次に、紙幣処理機１０の入金処理について説明する。
図４は紙幣処理機の入金動作の処理の流れを示すフローチャートである。まず、入金口１１に設けられた紙幣検知センサが紙幣の投入を検知したかどうかが判別される（ステップＳ１）。ここで、紙幣の投入を検知しなければ、検知するまで紙幣検知センサは待機することになる。紙幣の投入を検知したならば、制御部３０は投入搬送モータを駆動し、紙幣を入金判別センサ１４に導き、入金判別センサ１４および制御部３０の金種判別部３１による入金紙幣の金種の判別、投入紙幣の厚さ判別および真偽の判定の判別が行われる（ステップＳ２）。次に、入金判別の結果、投入紙幣の厚さ判別から投入された紙幣は重なり紙幣かどうかが判断される（ステップＳ３）。ここで、重なり紙幣と判別されると、装置内在高メモリ３３のフラグメモリ３３ｄに重なり検出フラグをセットし（ステップＳ４）、その束状紙幣はそのまま受け付けられて紙幣収納庫１５へ搬送され、この処理は待機状態に戻る。重なり紙幣でなければ、紙幣の金種が判別される（ステップＳ５）。ここで、入金判別の結果、投入された紙幣が１０００円札であれば、制御部３０は装置内在高メモリ３３の１０００円枚数カウンタ３３ａに対して＋１の加算をし（ステップＳ６）、投入された紙幣が５０００円札であれば、制御部３０は装置内在高メモリ３３の５０００円枚数カウンタ３３ｂに対して＋１の加算をし（ステップＳ７）、投入された紙幣が１００００円札であれば、制御部３０は装置内在高メモリ３３の１００００円枚数カウンタ３３ｃに対して＋１の加算をする（ステップＳ８）。もし、投入された紙幣が流通されている３金種と判別できなければ、投入搬送モータを逆転駆動し、その紙幣は金種判別不能紙幣として入金口１１に返却される（ステップＳ９）。その後は、ステップＳ１に戻り、待機状態となる。
【００２８】
図５は紙幣処理機の出金動作の流れを示すフローチャートである。まず、外部の上位装置から出金指示があるかどうかが判断され（ステップＳ１１）、なければ、指示があるまで待機することになる。出金指示があれば、繰り出し部１６を動作開始し紙幣収納庫１５から紙幣を一枚繰り出す（ステップＳ１２）。次に、繰り出された紙幣を出金判別センサ１７が金種判別を行う（ステップＳ１３）。ここで、金種判別の結果、繰り出された紙幣が１０００円、５０００円、１００００円のいずれかかどうかが判断される（ステップＳ１４）。１０００円、５０００円、１００００円のいずれかであると判断されると、次に、その紙幣は釣銭として払い出されるべき金種であるかどうかが判断され（ステップＳ１５）、払い出すべき金種ならば、切換ゲート１９を出金口１２の側へ切り換え（ステップＳ１６）、装置内在高メモリ３３の該当金種の枚数カウンタから１を減算する（ステップＳ１７）。
【００２９】
もし、ステップＳ１４において、模擬紙幣２３と判断されたか、または３金種のいずれとも特定できなかった場合、または、ステップＳ１５において、払い出すべき金種でなかった場合には、切換ゲートを循環通路１８の側へ切り換えて、再度紙幣収納庫１５へ積載収納する（ステップＳ１８）。
【００３０】
次に、指示した金額が出金されたかどうかが判断され（ステップＳ１９）、出金した紙幣の金額が指示金額に満たない場合には、ステップＳ１３に戻って、次に繰り出されてきた紙幣の判別を行うようにする。指示金額が出金されたならば、繰り出し動作を停止して待機状態に戻る（ステップＳ２０）。
【００３１】
次に、精査動作を行うときの制御部３０の処理について説明する。
図６は紙幣処理機の精査動作の流れを示すフローチャートである。まず、図示しない操作・表示部から精査指示があるかどうかが判断され（ステップＳ３１）、なければ、指示があるまで待機することになる。精査指示があれば、精査用に特別に作成した模擬紙幣２３が装置内にあるかどうかが判断される（ステップＳ３２）。これは、精査カウンタ３４のフラグメモリ３４ｅに模擬紙幣有フラグがセットされているかどうかで判断される。模擬紙幣２３が装置内にあれば、切換ゲート１９を循環通路１８の側へ切り換え（ステップＳ３３）、繰り出し部１６を起動する（ステップＳ３４）。ここで、繰り出された紙幣の出金判別を行い（ステップＳ３５）、その紙幣は模擬紙幣２３かどうかが判断される（ステップＳ３６）。繰り出された紙幣が模擬紙幣２３でなければ、ステップＳ３５に戻り、出金判別を模擬紙幣２３が繰り出されてくるまで繰り返す。模擬紙幣２３が判別されることによって、紙幣収納庫１５内の紙幣の精査開始位置が求められる。
【００３２】
ステップＳ３２において、模擬紙幣２３が装置内になければ、図示しない操作・表示部に模擬紙幣の投入指示を出す（ステップＳ３７）。次に、紙幣の投入が検知されたかどうかが判断され（ステップＳ３８）、検知されなければ、検知されるまで待つ。紙幣の投入が検知されると、入金判別センサ１４により、入金判別が行われ（ステップＳ３９）、次に、その紙幣は模擬紙幣２３かどうかの判別が行われる（ステップＳ４０）。投入された紙幣が模擬紙幣２３ならば、精査カウンタ３４のフラグメモリ３４ｅに模擬紙幣有フラグをセットし（ステップＳ４１）、模擬紙幣２３でなければ、返却動作を行い（ステップＳ４２）、ステップＳ３７へ戻る。
【００３３】
ステップＳ３６において、紙幣収納庫１５から繰り出された紙幣が模擬紙幣であることが判別されるか、ステップＳ４１において、装置内に新たに模擬紙幣２３が投入された状態になると、ここで初めて精査処理（ステップＳ４３）が開始される。そして、装置内在高メモリ３３のフラグメモリ３３ｄにおける重なり検出フラグをリセットする（ステップＳ４４）。
【００３４】
図７は紙幣処理機の精査処理の流れを示すフローチャートである。まず、制御部３０は、切換ゲート１９，２１を循環通路１８の側に切り換える（ステップＳ５１）。そして、制御部３０は精査カウンタ３４の各金種の枚数カウンタおよび判別不能件数カウンタ３４ｄをゼロクリアする（ステップＳ５２）。
【００３５】
次に、制御部３０は、繰り出し部１６を起動し、紙幣収納庫１５からの収納紙幣の繰り出しを開始する（ステップＳ５３）。繰り出された紙幣は出金判別センサ１７にて検出され、金種判別部３１による出金紙幣の判別が行われる（ステップＳ５４）。次に、判別された紙幣の金種に基づき処理が分岐される（ステップＳ５５）。すなわち、金種が１０００円の場合は、精査カウンタ３４の１０００円枚数カウンタ３４ａに対して＋１の加算処理をし（ステップＳ５６）、金種が５０００円の場合は、精査カウンタ３４の５０００円枚数カウンタ３４ｂに対して＋１の加算処理をし（ステップＳ５７）、金種が１００００円の場合は、精査カウンタ３４の１００００円枚数カウンタ３４ｃに対して＋１の加算処理をする（ステップＳ５８）。精査カウンタ３４の加算処理の後はステップＳ５４に戻り、次に繰り出された紙幣の判別を行う。
【００３６】
ステップＳ５５の判別にて、出金判別結果が３金種の紙幣でも模擬紙幣でもなく、金種が判別不能であった場合、たとえば、偽札、極端に汚れていたり破損した紙幣、判別不能なほど劣化した模擬紙幣、あるいは束入金時に紙幣と一緒に混じっていた商品券であった場合には、精査カウンタ３４の判別不能件数カウンタ３４ｄに対して＋１の加算処理をし（ステップＳ５９）、切換ゲート１９を出金口１２の側に切り換え（ステップＳ６０）、判別不能紙幣を出金口１２に排出する（ステップＳ６１）。その後、切換ゲート１９を循環通路１８の側に戻し（ステップＳ６２）、次に繰り出された紙幣の出金判別のために、ステップＳ５４に戻る。
【００３７】
ステップＳ５５の判別にて、金種が模擬紙幣２３と判別された場合には、繰り出し部１６を停止し、紙幣の繰り出し動作を停止する（ステップＳ６３）。この時点にて、精査カウンタ３４には、装置外に排出された判別不能紙幣を除き、紙幣収納庫１５に収納されている紙幣の金種ごとの枚数が算出されている。次に、制御部３０は、排出された判別不能紙幣に対する処理を行い（ステップＳ６４）、精査カウンタ３４の算出結果を、装置内在高メモリ３３に転記する（ステップＳ６５）。また、同様に、精査カウンタ３４の算出結果を、精査履歴メモリ３５に転記する（ステップＳ６６）。この際、精査履歴メモリ３５への転記は、上書きするのでなく、図示しないポインタを加算し、前回の記憶内容の次の領域に順次追記していくようにしている。
【００３８】
図８は精査処理の中の判別不能時処理の流れを示すフローチャートである。この判別不能時処理では、まず、精査カウンタ３４の判別不能件数カウンタ３４ｄが判別不能件数＝０を示しているかどうかが判断され（ステップＳ７１）、ここで、判別不能件数がなければ、この判別不能時処理は終了する。判別不能件数があれば、その判別不能件数を図示しない操作・表示部に表示させる（ステップＳ７２）。次に、強制終了指示があるかどうかが判断され（ステップＳ７３）、強制終了指示があった場合には、エラー表示をして、この判別不能時処理は終了する（ステップＳ７４）。すなわち、判別不能紙幣として排出された紙幣が在高管理には関係のない、たとえば商品券であった場合には、この判別不能時処理をこれ以上続ける必要がないので、処理の途中でこの処理を強制的に終了させることができるようにしている。
【００３９】
強制終了指示がなければ、次に、入金があるかどうかが判断され（ステップＳ７５）、入金がなければ、ステップＳ７１に戻り、入金が検出されるまでステップＳ７１からステップＳ７３までの処理が繰り返される。ここで、排出された判別不能紙幣に代わる同金種の紙幣が入金口１１に投入された場合には、入金判別センサ１４および金種判別部３１による入金判別が行われる（ステップＳ７６）。次に、入金判別の結果、入金紙幣が３金種のいずれかであるかどうかが判断され（ステップＳ７７）、３金種のいずれかである場合には、精査カウンタ３４の判別不能件数カウンタ３４ｄに対して−１の減算処理をし（ステップＳ７８）、該当金種の枚数カウンタに対して＋１の加算処理を行ってステップＳ７１に戻る（ステップＳ７９）。ステップＳ７７において、入金された紙幣が３金種のいずれでもない場合には、入金返却動作を行い（ステップＳ８０）、ステップＳ７１に戻る。
【００４０】
以上の精査を行うことで、複数の紙幣を入金口１１に束状に投入したことにより、あるいは紙幣処理機１０の運用中に紙幣収納庫１５へ釣銭準備金を補充したことにより、装置内在高メモリ３３の内容が実収納枚数と相違する結果になったとしても、装置内在高メモリ３３はその精査時点で計数された収納枚数に修正されるので、より正確な在高管理を行うことができる。
【００４１】
次に、上位装置から収納庫枚数読み出しコマンドがあった場合に、紙幣処理機１０は上位装置に対して紙幣収納庫１５の収納枚数のデータを返信するが、そのときの制御部３０の動作について説明する。
【００４２】
図９は収納庫枚数読み出し指示受信時の紙幣処理機の動作の流れを示すフローチャートである。まず、上位装置からの収納庫枚数読み出し指示があるかどうかが判断され（ステップＳ８１）、なければ、精査指示があるかどうかが判断され（ステップＳ８２）、この指示もなければ、指示があるまで待機する。ステップＳ８１において、上位装置から収納庫枚数読み出し指示があると、装置内の収納枚数は不確定状態かどうかが判断される（ステップＳ８３）。この判断は、装置内在高メモリ３３のフラグメモリ３３ｄに重なり検出フラグがセットされているかどうかで行われ、セットされていなければ、重なり紙幣の入金がないため、装置内在高メモリ３３の各枚数カウンタの値が実際に収納されている枚数と等しいので、そのデータが上位装置に返信され（ステップＳ８４）、ステップＳ８２に処理が移される。重なり検出フラグがセットされていれば、重なり紙幣の入金のために装置内在高メモリ３３の値と実際の収納庫枚数とが相違しているので、精査を行う必要がある。このとき、プロセッサ３２は精査カウンタ３４のフラグメモリ３４ｅに自動精査フラグをセットする（ステップＳ８５）。
【００４３】
次に、ステップＳ８２にて精査指示があった場合またはステップＳ８５にて自動精査フラグがセットされた場合には、精査用の模擬紙幣２３が装置内にあるかどうかが判断される（ステップＳ８６）。精査カウンタ３４のフラグメモリ３４ｅに模擬紙幣有フラグを参照し、模擬紙幣有フラグがセットされている、すなわち、装置内に模擬紙幣２３があるならば、切換ゲート１９を循環通路１８の側へ切り換え（ステップＳ８７）、繰り出し部１６を起動する（ステップＳ８８）。ここで、繰り出された紙幣の出金判別を行い（ステップＳ８９）、その紙幣は模擬紙幣２３かどうかが判断される（ステップＳ９０）。繰り出された紙幣が模擬紙幣２３でなければ、ステップＳ８９に戻り、出金判別を模擬紙幣２３が繰り出されてくるまで出金判別が繰り返えされる。
【００４４】
ステップＳ８６の判断において、模擬紙幣２３が装置内になければ、図示しない操作・表示部に模擬紙幣の投入指示を出す（ステップＳ９１）。次に、紙幣の投入が検知されたかどうかが判断され（ステップＳ９２）、検知されなければ、検知されるまで待つ。紙幣の投入が検知されると、入金判別センサ１４により、入金判別が行われ（ステップＳ９３）、次に、その紙幣は模擬紙幣２３かどうかの判別が行われる（ステップＳ９４）。投入された紙幣が模擬紙幣２３ならば、精査カウンタ３４のフラグメモリ３４ｅに模擬紙幣有フラグをセットし（ステップＳ９５）、模擬紙幣２３でなければ、返却動作を行い（ステップＳ９６）、ステップＳ９１へ戻る。
【００４５】
ステップＳ９０において、紙幣収納庫１５から繰り出された紙幣が模擬紙幣であることが判別されるか、ステップＳ９５において、装置内に新たに模擬紙幣２３が投入された状態になると、ここで初めて精査処理（ステップＳ９７）が開始される。精査処理が終了すると、装置内在高メモリ３３のフラグメモリ３３ｄの重なり検出フラグをリセットする（ステップＳ９８）。次に、精査カウンタ３４のフラグメモリ３４ｅに自動精査フラグがあるかどうかが判断され（ステップＳ９９）、なければ、最初に戻って待機状態となる。フラグメモリ３４ｅに自動精査フラグがあれば、精査処理によって更新された装置内在高メモリ３３のデータが上位装置に返信され（ステップＳ１００）、フラグメモリ３４ｅの自動精査フラグをリセットして（ステップＳ１０１）、待機状態に戻る。
【００４６】
ここで、精査用の模擬紙幣２３は、通常は装置内に常に内蔵され、循環動作により繰り返し使用されているので、運用中に劣化してくる。このため、この模擬紙幣２３の劣化を検出して交換する必要がある。次に、模擬紙幣２３の劣化を検出する場合の動作について説明する。
【００４７】
図１０は模擬紙幣の劣化検出を行う場合の紙幣処理機の動作の流れを示すフローチャートである。まず、装置内在高メモリ３３のフラグメモリ３３ｄに劣化表示要求フラグがセットされているかどうかが判断され（ステップＳ１１１）、セットされていれば、図示しない操作・表示部に模擬紙幣が劣化している旨の表示を行う（ステップＳ１１２）。フラグメモリ３３ｄに劣化表示要求フラグがセットされていなければ、劣化表示を行わずに、次に、精査指示があるかどうかが判断され（ステップＳ１１３）、この指示もなければ、指示があるまで待機する。
【００４８】
ステップＳ１１３において、精査指示があった場合には、精査カウンタ３４のフラグメモリ３４ｅに模擬紙幣有フラグがセットされているかどうかで精査用の模擬紙幣２３が装置内にあるかどうかが判断される（ステップＳ１１４）。装置内に模擬紙幣２３があるならば、切換ゲート１９を循環通路１８の側へ切り換え（ステップＳ１１５）、繰り出し部１６を起動する（ステップＳ１１６）。ここで、繰り出された紙幣の出金判別を行い（ステップＳ１１７）、その紙幣は模擬紙幣２３かどうかが判断される（ステップＳ１１８）。繰り出された紙幣が模擬紙幣２３でなければ、ステップＳ１１７に戻り、出金判別を模擬紙幣２３が繰り出されてくるまで出金判別が繰り返えされる。
【００４９】
ステップＳ１１４の判断において、模擬紙幣２３が装置内になければ、図示しない操作・表示部に模擬紙幣の投入指示を出す（ステップＳ１１９）。次に、紙幣の投入が検知されたかどうかが判断され（ステップＳ１２０）、検知されなければ、検知されるまで待つ。紙幣の投入が検知されると、入金判別センサ１４により、入金判別が行われ（ステップＳ１２１）、次に、その紙幣は模擬紙幣２３かどうかの判別が行われる（ステップＳ１２２）。投入された紙幣が模擬紙幣２３ならば、精査カウンタ３４のフラグメモリ３４ｅに模擬紙幣有フラグをセットし（ステップＳ１２３）、模擬紙幣２３でなければ、返却動作を行い（ステップＳ１２４）、ステップＳ１１９へ戻る。
【００５０】
ステップＳ１１８において、紙幣収納庫１５から繰り出された紙幣が模擬紙幣であることが判別されるか、ステップＳ１２３において、装置内に新たに模擬紙幣２３が投入された状態になると、次に、模擬紙幣２３が劣化しているかどうかが判断され（ステップＳ１２５）。模擬紙幣２３が劣化していれば、装置内在高メモリ３３のフラグメモリ３３ｄに劣化表示要求フラグをセットし（ステップＳ１２６）、模擬紙幣２３が劣化していなければ、装置内在高メモリ３３のフラグメモリ３３ｄに劣化表示要求フラグをリセットする（ステップＳ１２７）。そして、精査処理（ステップＳ１２８）が開始される。精査処理が終了すると、装置内在高メモリ３３のフラグメモリ３３ｄの重なり検出フラグをリセットし（ステップＳ１２９）、待機状態に戻る。
【００５１】
次に、図示しない操作・表示部に模擬紙幣が劣化している旨の表示がされたことに対して行われる模擬紙幣の排出について説明する。
図１１は模擬紙幣の排出を行う場合の紙幣処理機の動作の流れを示すフローチャートである。まず、模擬紙幣２３の排出指示があるかどうかが判断される（ステップＳ１３１）。図示しない操作・表示部に表示されたメニューから模擬紙幣排出が選択指示されると、精査カウンタ３４のフラグメモリ３４ｅに模擬紙幣有フラグがセットされているかどうかで精査用の模擬紙幣２３が装置内にあるかどうかが判断され（ステップＳ１３２）、装置内になければ、その旨を表示して待機状態へ戻る。装置内に模擬紙幣２３があれば、切換ゲート１９を循環通路１８の側へ切り換え（ステップＳ１３３）、繰り出し部１６を起動する（ステップＳ１３４）。ここで、繰り出された紙幣の出金判別を行い（ステップＳ１３５）、その紙幣は模擬紙幣２３かどうかが判断される（ステップＳ１３６）。繰り出された紙幣が模擬紙幣２３でなければ、ステップＳ１３５に戻り、出金判別を模擬紙幣２３が繰り出されてくるまで出金判別が繰り返えされる。
【００５２】
このようにして、紙幣収納庫１５内に収納された紙幣から模擬紙幣が見つけ出されると、繰り出し部１６を停止し（ステップＳ１３７）、切換ゲート１９を出金口１２の側へ切り換えて出金口１２へ模擬紙幣を排出し（ステップＳ１３８）、精査カウンタ３４のフラグメモリ３４ｅに対し模擬紙幣有フラグをリセットして（ステップＳ１３９）、待機状態に戻る。
【００５３】
次に、精査用の模擬紙幣２３の劣化状態の検出について説明する。
図１２は精査用の模擬紙幣の劣化状態を検出する方法を説明した図であって、（Ａ）は模擬紙幣の概観を示す平面図、（Ｂ）は模擬紙幣が正常時の出金判別センサの検出レベルの変化を示す図、（Ｃ）模擬紙幣が劣化時の出金判別センサの検出レベルの変化を示す図である。精査用の模擬紙幣２３は、たとえば（Ａ）に示したように、薄い色の紙の長手方向中央部に二つのマーク２３ａ，２３ｂが短手方向に並べて濃い色で印刷されている。このような模擬紙幣２３が紙幣処理機１０内において短手の方向に搬送されるとする。
【００５４】
模擬紙幣２３が劣化していない正常時においては、（Ｂ）に示したように、出金判別センサ１７がマーク２３ａ，２３ｂのある位置を搬送方向に走査したときに得られた検出レベルは、マーク２３ａ，２３ｂが印刷されていない薄い色の部分で高く、マーク２３ａ，２３ｂが印刷されている濃い色の部分で低くなっていて、それらの間に十分なレベル差がある。
【００５５】
また、長い間使用したことにより模擬紙幣２３が汚れてきた劣化時においては、マーク２３ａ，２３ｂが印刷されていない薄い色の部分が濃い色になってくるため、（Ｃ）に示したように、マーク２３ａ，２３ｂが印刷されていない部分の検出レベルは、低くなってくる。このように、劣化してくると、マーク２３ａ，２３ｂがある部分とない部分とで濃淡差が減少するため、検出レベル差も小さくなる。濃淡差がなくなるほど劣化すると、精査時に、模擬紙幣２３を検出することができなくなるので、図１０のステップＳ１１６においては、その濃淡差が所定のしきい値まで減少したことを検出して劣化と判断するようにしている。
【００５６】
【発明の効果】
以上説明したように、本発明では、紙幣収納庫の在高に対して、払い出した紙幣の内、出金口に導いた紙幣の金種・枚数を該当金種の在高メモリから減算し、収納庫に循環させた紙幣については在高メモリから減算しないような構成にした。これにより、紙幣処理機の中に収納されている紙幣の枚数を金種別に常に把握することができる。
【００５７】
また、精査機能を備えたことにより、釣銭補充操作を行っても、いつでも収納紙幣の在高を知ることができるため、正確な現金管理をすることができる。
また、現金管理面においても、精査の履歴を釣銭準備金の補充ごとおよび担当者交替ごとに記憶できるので、トラブル発生時の探索を容易にでき、さらには、この精査機能を備えたことにより、担当者の不正への誘惑を抑えることも期待できる。
【図面の簡単な説明】
【図１】紙幣処理機の外観を示す図である。
【図２】紙幣処理機の内部構成を示す側断面図である。
【図３】紙幣処理機の制御部の構成例を示すブロック図である。
【図４】紙幣処理機の入金動作の処理の流れを示すフローチャートである。
【図５】紙幣処理機の出金動作の流れを示すフローチャートである。
【図６】紙幣処理機の精査動作の流れを示すフローチャートである。
【図７】紙幣処理機の精査処理の流れを示すフローチャートである。
【図８】精査処理の中の判別不能時処理の流れを示すフローチャートである。
【図９】収納庫枚数読み出し指示受信時の紙幣処理機の動作の流れを示すフローチャートである。
【図１０】模擬紙幣の劣化検出を行う場合の紙幣処理機の動作の流れを示すフローチャートである。
【図１１】模擬紙幣の排出を行う場合の紙幣処理機の動作の流れを示すフローチャートである。
【図１２】精査用の模擬紙幣の劣化状態を検出する方法を説明した図であって、（Ａ）は模擬紙幣の概観を示す平面図、（Ｂ）は模擬紙幣が正常時の出金判別センサの検出レベルの変化を示す図、（Ｃ）模擬紙幣が劣化時の出金判別センサの検出レベルの変化を示す図である。
【図１３】従来の紙幣処理機の内部構成を示す側断面図である。
【符号の説明】
１０  紙幣処理機
１１  入金口
１２  出金口
１３  紙幣回収庫
１４  入金判別センサ
１４  入金判別センサおよび
１５  再度紙幣収納庫
１５  紙幣収納庫
１６  繰り出し部
１７  出金判別センサ
１８  循環通路
１９  切換ゲート
１９，２１  切換ゲート
２０  紙幣受入口
２１  切換ゲート
２２  筐体
２３  模擬紙幣
２３ａ，２３ｂ  マーク
３０  制御部
３１  金種判別部
３２  プロセッサ
３３  装置内在高メモリ
３３ａ  １０００円枚数カウンタ
３３ｂ  ５０００円枚数カウンタ
３３ｃ  １００００円枚数カウンタ
３３ｄ  フラグメモリ
３４  精査カウンタ
３４ａ  １０００円枚数カウンタ
３４ｂ  ５０００円枚数カウンタ
３４ｃ  １００００円枚数カウンタ
３４ｄ  判別不能件数カウンタ
３４ｅ  フラグメモリ
３５  精査履歴メモリ
【図１】
0003780723.tif 000002
【図２】
0003780723.tif 000003
【図３】
0003780723.tif 000004
【図４】
0003780723.tif 000005
【図５】
0003780723.tif 000006
【図６】
0003780723.tif 000007
【図７】
0003780723.tif 000008
【図８】
0003780723.tif 000009
【図９】
0003780723.tif 000010
【図１０】
0003780723.tif 000011
【図１１】
0003780723.tif 000012
【図１２】
0003780723.tif 000013
【図１３】
0003780723.tif 000014